(57)【要約】      （修正有）【課題】綴じ穴を穿孔した綴り資料を綴じるための従来のファイルバインダーは、綴じた資料の分量が増えた場合に収納した内部の資料を追加又は抜き出して分類整理を行う作業などの際は、保持具（綴じ紐や帯体、綴じピンなど）で綴じた資料を一旦抜いてから、再度、多くの資料を綴じ直しをせねばならず作業が面倒であったので、簡便に資料の抜き挿し及び分類ができる綴じ具を提供する。【解決手段】親綴じ具（バインダー）の中に着脱自在に装着可能な小綴じ具（ユニットファイル）を綴じ込むシステムにするために、小綴じ具に親綴じ具の保持部に対する嵌合用間隙とその嵌合用間隙部を開閉する把持部を設けることにより、着脱可能とした。【選択図】図２
2005280319.tif 000002
【特許請求の範囲】
【請求項１】
綴資料に複数穿孔したその孔穴部に同間隔の複数の保持部材を挿通して綴じ込む形式のファイル綴じ具に関して、親綴じ具内の保持部に小綴じ具を着脱自在に装着可能な構造とし、該親綴じ具と小綴じ具には、綴資料５の孔穴部と同間隔の保持部を設けている。  該小綴じ具の本体枠１には、親綴じ具の保持部４に着脱自在に嵌入可能な嵌合用間隙ｓと綴資料５を綴じる保持部（綴じピン部）１ｃを形成してなり、該保持部１ｃに綴資料の孔穴部を着脱可能に装着できるものとしている。  尚、嵌合用間隙ｓは、親綴じ具の保持部４への嵌入時の誘導と着装後のガタツキの防止を図るガイド板部１ｅに隣接して形成しているとともに、親綴じ具の保持部４に着装した嵌合用間隙ｓが脱落するのを防止するため、開閉可能な把持爪先部３ｂによって、親綴じ具の保持部４を押えて固定することを特徴とた綴じ具。
【請求項２】
嵌合用間隙ｓ部に着装した親綴じ具の保持部の脱落を押さえる把持爪先部３ｂは、小綴じ具の本体枠１の壁面部にスライド用のレール１ｄ部を設け、このレール部上に移動可能なスライダー３を取り付け、該スライダー３の端部に形成してなる請求項１記載の綴じ具
【発明の詳細な説明】
【技術分野】
【０００１】  本発明は、パンチ穴（綴じ穴）を穿孔した用紙などを綴じ込むためのファイリング用具であり、更に詳細には、バインダー内に複数収納した小単位の綴じ具（ユニットファイル）の抜き差しが簡単にできる綴じ具（ファイルバインダー）に関するものである。［背景技術］【０００２】  従来から用紙など「綴じたいもの」（以下、綴資料と記す）を綴じる上で、ホッチキスなど綴じ針で綴資料を押さえて綴じ込む方式がある。この方式は、綴資料が比較的少量であるときには適しているが、厚みが大きい場合は綴じ方に難点があり、また順次追加し蓄積しいくような資料や綴じていた資料を取り出す必要性がある場合には、綴じ針をその都度とり外す作業が必要になるので面倒であり、外した針の跡も残る問題があるので、綴り資料を個別に何度も抜き差しするような使用状態には適していない。【０００３】  一方、綴資料の端部に穿孔して串刺し用の複数のパンチ穴を設け、このパンチ穴に綴じ紐や帯材、貫通ピンなど保持部材を通して綴じる形式のファイルバインダー類が数多く提供されている。この種のパンチ穴を設けるやり方の場合は、綴資料に原形を崩す穿孔加工（パンチ穴）を施すことになるので、本来は好ましいことではないが、厚みが増した多くの綴資料の場合にも、綴ることが容易に出来るし、綴りを外すこともできるので、この綴じ方式は厚みのある資料の保管用に普及し多用されている。【０００４】  例えば、パンチ穴を穿孔した綴資料を綴る方式のファイルバインダーの事例としては、特開２００３−２７６３７６などがあり、この事例を含む、パンチ穴に綴じ紐や帯材、貫通ピンなど保持部材を通して綴る方式の多くのファイルルバインダーの場合は、分量が多い綴資料を綴じることには適している。  しかし、一旦内部に綴じた綴資料をコピーなどの利用のために取り出すときや、内部に綴じた資料に同類の資料を差し入れて追加するときなどの場面には、保持部材の綴じ紐や帯材、或いは貫通ピンを一旦抜き取ってから、挿し直しを行うことが必要になるが、この場合には、綴資料が多くなればなるほど、パンチ穴に対する抜き挿しの手間も多くなって、処理が煩わしくなっていく。  このように分量の多い資料をファイリングする場合の作業性改善やファイルの分類化をより簡便にするために、従来より多くのファイルバインダー構造の発明がなされてきたが、まだ十分満足できるものでなかった。  特に分量が多い資料内から必要になった資料の一部を取り出す作業などが、より簡単に出来るように工夫したファイルバインダーの発明製品もあるが、構成部品が大型複雑となっていて部品数も多く、安価な製品を作ることは容易でなかった。［発明の開示］［発明が解決しようとする課題］【０００５】  上述の従来のファイルバインダー類に対して、本発明は、ファイルバインダーの内部に綴じた資料が少ないときでも、多いときにも綴じた資料の抜き挿し及び綴じるファイルの分類がより簡単に行え、しかも安価に製造できるファイルバインダーを実現することを目的とする。［課題を解決するための手段］【０００６】  前記の課題を解決するために、本発明にあっては、以下に示す構成とした。（１）綴資料に複数穿孔したその孔穴部に同間隔の複数の保持部材を挿通して綴じ込む形式のファイル綴じ具に関して、親綴じ具内の保持部にに小綴じ具を着脱自在に装着可能な構造とし、該親綴じ具と小綴じ具には、綴資料５の孔穴部と同間隔の保持部を設けている。  該小綴じ具の本体枠１には、親綴じ具の保持部４に着脱自在に嵌入可能な嵌合用間隙ｓと綴資料５を綴じる保持部（綴じピン部）１ｃを形成してなり、該保持部１ｃに綴資料の孔穴部を着脱可能に装着できるものとしている。【０００７】  すなわち、本発明の綴じ具の構成は、親綴じ具の中に小綴じ具を配置し、両方とも綴資料を綴じ込むことができる構造としていて、親綴じ具に設けた保持部（綴じ紐や帯材など）に直接綴資料を綴じ込むこともできるが、小綴じ具に綴じておいてから、該小綴じ具を親綴じ具に綴じ込むこともできる。  このため綴資料は、小綴じ具に全て小分けして分類した上で親綴じ具に綴じ込む作業ができるし、親綴じ具に直接綴じた綴資料の中に小綴じ具を挿入することによって仕切り分けをする作業も出来るので、多様に活用することが出来る。【０００８】（２）尚、嵌合用間隙ｓは、親綴じ具の保持部４への嵌入時の誘導と着装後のガタツキの防止を図るガイド板部１ｅに隣接して形成しているとともに、親綴じ具の保持部４に着装した嵌合用間隙ｓが脱落するのを防止するため、開閉可能な把持爪先部３ｂによって、親綴じ具の保持部４を押えて固定することを特徴とた綴じ具にしたものである。【０００９】  本発明の綴じ具を用いた場合のファイリング作業では、綴資料の分量が多くなると小分けして綴じることになるため、使用する小綴じ具の装着数も増してくる。このように親綴じ具内に重なった小綴じ具や綴資料が混在する中で、綴資料の綴じ込み又は抜き出し作業を行う作業では、親綴じ具の保持部４が綴資料などで隠れて見にくいので小綴じ具の装着が行いにくくなりやすい。このため、小綴じ具の嵌合用間隙部ｓを親綴じ具の保持部４へ容易に装着できるようにするために、前述のごとく、親綴じ具の保持部４に嵌合用間隙部ｓを装着するときの誘導と装着後のガタツキ防止を兼ねるガイド板部１ｅを設け、更に装着した小綴じ具の脱落を防ぐため把持爪先部３ｂで親綴じ具の保持部を押えて固定するものである。【００１０】  かような構成であるので、親綴じ具から目的の綴り資料を取り出す必要性がある場合には、先ず資料を収容した小綴じ具を抜き出し、この中から目的の資料を取り出す作業は容易にできるし、再び任意の綴り資料を小綴じ具に綴じて、親綴じ具に綴じる際は、従来のように、親綴じ具の保持部材（綴じ紐や帯体など）の端部を綴じ資料の孔穴部に次々に挿し通していくような手間はかからず、親綴じ具の保持部材を閉じたままでも小綴じ具を装着することができるものである。勿論、親綴じ具の保持部材の端部を順次小綴じ具の嵌合用間隙部ｓに挿し込んで親綴じ具に綴じるような従来同様の作業も併用可能である。【００１１】（３）尚、嵌合用間隙部ｓに着装した親綴じ具の保持部の脱落を押さえる把持爪先部３ｂは、小綴じ具の本体枠１の壁面部にスライド用のレール１ｄ部を設け、このレール部上に移動可能なスライダー３を取り付け、該スライダー３の端部に形成してなる綴じ具とした。【００１２】  本発明は上記構成のため、構成部品の製造においては、プラスチックによる成形が容易に出来る形状に設計でき、レール１ｄに取り付けて移動させるスライダー３も簡単に組立できる構造であるので、安価に製造することが可能である。［発明の効果］【００１３】  上述した本発明の綴じ具（ユニットファイル）は、ファイルバインダーへの綴資料の綴じ込み、抜き出し作業が楽に簡単に行うことが出来るとともに、製作的にも部品が簡単なため比較的安価に製造することができるものである。［発明の実施するための最良の形態］【００１４】  以下、本発明の実施の形態として図１〜１１に基づいて説明する。本発明の綴じ具は原則的な構成として左右対称形の形態をしているので、左右同形態である部分については、左右同符号とし、図示の見やすい片側のみで説明する。［実施例１］【００１５】  図１〜図７は本発明小綴じ具（ユニットファイル）の実施例１の図を示している。  参照符号１は小綴じ具の本体枠１で、水平な基板部１ｂに直立し両側の枠端部１ａにてコの字形状となる枠になっている。本体枠１の中央部にはレール１ｄが直立して本体枠両端方向に向かって形成され、該レール１ｄの両端部に移動止め突起１ｄ２を設けている。  レール上には左右にスライダー３を装着し、該スライダー３はレール上を滑って左右に移動可能であり、本体枠１の端部側に向かってスライダー切欠部３ａ、端部に把持爪先部３ｂを形成している。【００１６】  レール１ｄへのスライダー３の装着は、図４に示した通り、スライダー３に形成した裾部３ｃの内側は凹部としていて、断面Ｔ形のレール１ｄに外れないように嵌合している。その断面Ｔ形のレール１ｄとスライダー３の内側凹部との嵌合は、スライダーの裾端３ｃを開いて圧入し、圧入は容易に行えるが嵌合後は断面Ｔ形のレール凸部にスライダー内側の凹部内凸部３ｅが係止しているので抜けないものになっている。  またスライダー３の上板部３ｄには、図７に示した窪み部３ｄ１を形成していて、この窪み部３ｄ１は、レール上を移動した場合に前記レールの両側に設けた移動止め突起１ｄ２と嵌合し、スライダー３がレール上をすべる際のブレーキの機能を有している。【００１７】  コの字形状の本体枠１の端部１ａの内側には、ガイド板部１ｅを設けており、該ガイド板部１ｅと前記レール１ｄの端部１ｄ１との間には嵌合用間隙ｓを形成している。  この嵌合用間隙ｓは、親綴じ具（図示なし）の保持部４を嵌入して係止し、本体枠１を親綴じ具に綴じ込み嵌入固定する部分である。【００１８】  親綴じ具の保持部４への固定は、嵌合用間隙ｓを圧入による固定にすることも選択できるが、保持部４の嵌入が緩くスムースに入る間隙とした方が綴じ込み作業を行う上で好ましい。この場合には、親綴じ具の保持部４から抜けやすいので、前記スライダー３をレール上で移動し、把持爪先部３ｂを本体枠端部１ａに当接するように閉じ、嵌合用間隙ｓを塞いで保持部４が嵌合用間隙ｓから脱落するのを防ぐものである（図１参照）。尚、図２はスライダー３を中央部側に移動し嵌合用間隙ｓから保持部４を外した状態を示している。かように、親綴じ具の保持部に対して、本体枠１は着脱自在に取り付けることができるものとなっている。【００１９】  本体枠１底部の前記基板部１ｂには、左��に具備した直立の綴じピン１ｃと中心部に上端部から底壁を貫通する蓋ピン嵌合孔１ｃ１を形成している。穿孔した綴資料５の孔穴間の寸法間隔と左右の綴じピン間の間隔、及び前記左右の嵌合用間隙ｓ部とは同間隔としていて、綴資料５の抜き挿しが自在に出来るものである。【００２０】  綴じピン１ｃの前記蓋ピン嵌合孔１ｃ１には、別部材の押え蓋２の左右に設けた蓋ピン２ａの先端である蓋ピン錐状部２ａ１を挿入して着脱可能に嵌合固定できるものとしている。蓋ピン嵌合孔１ｃ１と蓋ピン２ａとの嵌合によって、綴じピン１ｃに挿し込む綴資料５の脱落を押えるものであるので、設計的に綴資料の分量が多くしたい場合には嵌合力は強くし、少ない分量の場合は弱い嵌合にするのが好ましい。嵌合力の調整は、蓋ピン嵌合孔１ｃ１内部及び蓋ピン２ａの側壁上に複数のリブを設けるなど一般公知の嵌合法を採用すればよいものである。【００２１】  以上に示した本実施例の構成によると、綴資料５の綴じ込みと抜き替え作業の操作は、次のように行うものとなる。（親綴じ具の中に予め小綴じ具をセットしていない場合）  まず、綴資料の綴じ込みでは、小綴じ具の本体枠１の基板部１ｂ上の綴じピン１ｃに綴資料５の穿孔穴を挿し込み、押え蓋２の蓋ピン２ａを蓋ピン嵌合孔１ｃ１に嵌入して行う（図１の状態）。また、綴資料の分量が多い場合には、複数の小綴じ具を用意して小分けして行うものである。【００２２】  次に資料を綴じた小綴じ具の嵌合用間隙ｓを、親綴じ具の保持部４に挿し込む作業になるが、本実施例では次に示す二通りの綴じ込み作業を行うことが出来る。  まず一つ目の綴じ込み方は、予め嵌合用間隙ｓをスライダー３の把持爪先部３ｂで閉じておいてから親綴じ具に綴じるものである。すなわち、スライダー３の把持爪先部３ｂを本体枠１の端部側に移動すれば、スライダー３の上板部３ｄに設けた窪み部３ｄ１とレール１ｄ端部の移動止め突起１ｄ２が嵌合してスライダー３を固定することができるから嵌合用間隙ｓを閉じておくことが出来る。この状態においては、前述した綴資料５を小綴じ具に綴じる作業と同様の手順で、嵌合間隙ｓを親綴じ具の保持部４に綴じる操作を行うことが出来るものである。【００２３】  このような綴じ方の場合には、親綴じ具の保持部４に挿し込む小綴じ具の順番は、当然初めに挿し込んだものが下側になり、後から挿し込んだものは順次積み重なったものとなるから、重なり方の順番を変える必要がある場合には、差し込んだ小綴じ具を、一旦全部取り外す作業をしてから順序を変えて、再び綴じ込み作業を行うことになる。【００２４】  一方、二つ目の綴じ方は、スライダー３の把持爪先部３ｂを開いた状態で嵌合用間隙ｓを親綴じ具に綴じ込むものである。  この場合は、親綴じ具の保持部４に既に綴じ込んである小綴じ具や綴資料が存在していても、これら綴じた資料の間に分け入って小綴じ具の嵌合間隙ｓを親綴じ具に挿し込み、その後にスライダー３の把持爪先部３ｂを閉じて小綴じ具を親綴じ具に綴じることができる。  つまり、親綴じ具の中に既に綴資料の分量が多く、積み重なっていても、綴じた資料を保持部４から抜き出す操作をしなくとも、小綴じ具を親綴じ具内の好ましい位置に挿して綴じ込むことが出来るものであり��利である。【００２５】  ここで、親綴じ具の中に既に綴じた小綴じ具や綴資料の分量が多くなっている場合には、これらの間に分け入って小綴じ具を挿し込む操作を行うことになるが、この時には、親綴じ具の保持部４と小綴じ具の嵌合用間隙ｓとの嵌入位置が目視で確認しにくく、挿入操作の手間が増えるので、目検討の操作でも確実に両者の嵌合が行えるようにしておく必要があり、本実施例では、拡開した前記ガイド板部１ｅを設けることによって、よりスムースに綴じ込み操作が出来るものである。【００２６】  上記の説明では綴資料を綴じる場合について説明したが、他方、既に親綴じ具の保持部に複数の小綴じ具が重なって綴じられている場合には、嵌合用間隙ｓを閉じている把持爪先部３ｂを移動して開けば、その重なった順番に関係なく、任意の小綴じ具を抜き出すことが出来る。すなわち、特に綴資料が何らかの分類がなされていて、その資料の追加や削除を行う必要がある抜き替え作業においても、作業が簡単にできる。【００２７】  本発明を構成する本体枠、押え蓋、スライダーの各部の材質として、ポリエチレン、ポリプロピレン、ポリオキシメチレン、ポリカーボネート、ポリアミドなどの硬質で弾力性に富む汎用のプラスチックが採用でき、容易に成形して製造することができるので製造コストも安く出来るものである。［実施例２］【００２８】  図８、９、１０は本実施例２を示した図である。  本実施例２と前記実施例１との差異は、押え蓋２の実施形態を変更したものである。  実施例１では小綴じ具の本体枠１の底部基板部１ｂに設けた綴じピン１ｃの蓋ピン嵌合孔１ｃ１に別体の押え蓋２の蓋ピン２ａを着脱自在に圧入嵌合して固定することを示したが、当実施例の押え蓋は、本体枠２１の上端部に薄肉の蓋ヒンジ部２２ｘで繋がった押え蓋２２を形成していて、本体枠２１と一体化した形態である。【００２９】  図８は、本体枠２１の上端部に薄肉で折り曲げ可能な蓋ヒンジ部２２ｘで繋がった押え蓋２２を形成している以外は実施例１と同様の構成である。すなわち、この様に、本体枠２１に押え蓋２２を一体に成形することによって、基本的な機能は実施例と同等のものとなるが、部品の数が減るので、製造コストをより安く出来るメリットがでるものである。図９、１０は、本体ホルダーに薄肉の蓋ヒンジ部２２ｘで繋げて形成した押え蓋２２の左右に綴じピン嵌合孔２２ｂを形成し、この綴じピン嵌合孔２２ｂを綴じピン上部に嵌合するようにしたものである。すなわち本実施例は、綴じピン２１ｃと押え蓋２２との嵌合固定法は種々公知の事例から設計的に好ましいものを選択することができることを示したものである。  本実施例においても、実施例１と同様な材質によって成形でき、実施例１と同様機能の綴じ具がえられるものである。［実施例３］【００３０】  図１１は本実施例３を示した図である。  次に本実施例３と前記実施例１との差異を示す。  実施例１では親綴じ具の保持部４に小綴じ具を綴じ込む場合に、本体枠１の端部に設けたガイド板部１ｅとレール端部１ｄ１との間の嵌合用間隙ｓをもって親綴じ具の保持部４に嵌入するものとした。すなわち、親綴じ具の保持部４に対する綴じ方として、ガイド板部１ｅとレール端部１ｄ１の両側で親綴じ具の���持部４を挟んで嵌合するものであるが、必ずしも両側から挟みつける必要はない。【００３１】  従って、実施例１における親綴じ具の保持部４の位置に対して、外側に当たるガイド板部１ｅ側か、内側に当たるレール端部１ｄ１側の片側のみの嵌合であっても、親綴じ具の保持部４が脱落するのを防ぐことが出来る。よって、本実施例３においては、片側のみでも親綴じ具の保持部４に嵌合し、綴じることができることを示したものである。【００３２】  すなわち、図１１において、本体枠３１に設けたレール３１ｄの位置は、親綴じ具の保持部３４に対して外側に設けていて、このレール上にスライダー３３が移動可能に装着されている。レール端部３１ａには親綴じ具の保持部３４を誘導し嵌入を容易にするために拡開のガイド板部３１ｅを形成し、同時に嵌入した親綴じ具の保持部３４を固定する。【００３３】  本実施例は実施例１と同様に固定した親綴じ具の保持部３４の脱落を防ぐためにレール上のスライダー３３の把持爪先部３３ｂを親綴じ具の保持部上に移動して閉じるものである。その他の部分の構成は、実施例１と同様であるので、本実施例も親綴じ具の保持部３４に着脱可能な綴じ具の機能を有する。  尚、前記実施例１と同様な材質をもって同等機能の綴じ具が得られるものである。
【図面の簡単な説明】
【００３４】
【図１】本発明の実施例１の小綴じ具（ユニットファイル）斜視図
【図２】小綴じ具構成部を示す全体斜視図（スライダーを開いた状態）
【図３】小綴じ具の本体枠部斜視図
【図４】図３の本体枠に取り付けたスライダー断面部の拡大斜視図
【図５】図３の本体枠端部側の要部の拡大斜視図
【図６】小綴じ具の全体斜視図（スライダーを綴じた状態）
【図７】図６で示した要部Ｋ−Ｋ’断面図
【図８】本発明実施形態の実施例２の小綴じ具（ユニットファイル）の斜視図
【図９】実施例２の小綴じ具構成部を示す全体斜視図（スライダーを開いた状態）
【図１０】実施例２の全体斜視図（スライダーを綴じた状態）
【図１１】実施例３の要部を示す平面図
【符号の説明】
【００３５】＜実施例１の図１〜７＞  １    本体枠  １ａ  本体枠端部  １ｂ  基板部  １ｃ  綴じピン  １ｃ１蓋ピン嵌合孔  １ｄ  レール  １ｄ１レール端部  １ｄ２移動止め突起  １ｅ  ガイド板部  ２    押え蓋  ２ａ  蓋ピン  ２ａ１蓋ピン錐状部  ３    スライダー  ３ａ  スライダー切欠部  ３ｂ  把持爪先部  ３ｃ  スライダー裾部  ３ｄ  スライダー上板部  ３ｄ１上板の窪み部  ３ｅ  スライダー凹部内凸部  ４    親綴じ具（バインダー）の保持部  ５    綴り資料  ｓ    嵌合用間隙＜実施例２の図８〜１０＞  ２１  本体枠  ２１ｂ基板部  ２１ｃ綴じピン  ２２  押え蓋  ２２ｂ綴じピン嵌合孔  ２２ｘ蓋ヒンジ部＜実施例３の図１１＞  ３１  本体枠  ３１ａ本体枠端部  ３１ｂ基板部  ３１ｃ綴じピン  ３１ｅガイド板部  ３３  スライダー  ３３ｂ把持爪先部  ３４  親綴じ具（バインダー）の保持部
【図１】
2005280319.tif 000003
【図２】
2005280319.tif 000004
【図３】
2005280319.tif 000005
【図４】
2005280319.tif 000006
【図５】
2005280319.tif 000007
【図６】
2005280319.tif 000008
【図７】
2005280319.tif 000009
【図８】
2005280319.tif 000010
【図９】
2005280319.tif 000011
【図１０】
2005280319.tif 000012
【図１１】
2005280319.tif 000013